【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
特定のチャンネルが所定数の選局ポジションに割り当てられている状態で、再スキャンを要求する操作に基づいて複数のチャンネルを順次切り替えて受信することにより、放送を受信可能なチャンネルを検出する検出手段と、
前記選局ポジションに対するチャンネルの割り当てのリセットを要求する操作に基づいて、前記選局ポジションに対する前記特定のチャンネルの割り当てをリセットし、前記検出手段で検出されたチャンネルを前記選局ポジションに割り当てるリセット割り当て手段と、
前記選局ポジションに対するチャンネルの割り当ての保持を要求する操作に基づいて、前記選局ポジションに対する前記特定のチャンネルの割り当てを保持し、前記検出手段で検出されたチャンネルを前記選局ポジションのうちチャンネルの割り当てられていない空きポジションに割り当てる保持割り当て手段と、
受信したチャンネルから放送受信装置毎に個別の情報を取得してメモリに記録する記録手段と、
前記メモリに情報を記録されたチャンネルの数が所定数よりも不足した状態で、前記メモリに記録する情報を取得するチャンネルの選択を要求するための操作メニューを表示する表示手段と、
前記表示手段で表示された操作メニューの操作に基づいて選択されたチャンネルに対して、該チャンネルから取得される情報を記録するための領域を前記メモリに割り当てる情報割り当て手段とを具備したことを特徴とする放送受信装置。
【請求項２】
初期スキャンを要求する操作に基づいて複数のチャンネルを順次切り替えて受信することにより、放送を受信可能なチャンネルを検出する初期検出手段と、
この初期検出手段で検出されたチャンネルを、予め設定された数の選局ポジションに割り当てる初期割り当て手段と、
この初期割り当て手段に基づいて前記選局ポジションにチャンネルが割り当てられている状態で、再スキャンを要求する操作に基づいて複数のチャンネルを順次切り替えて受信することにより、放送を受信可能なチャンネルを検出する再検出手段と、
前記選局ポジションに対するチャンネルの割り当てをリセットし、前記再検出手段で検出されたチャンネルを前記選局ポジションに割り当てるリセット割り当て手段と、
受信したチャンネルから放送受信装置毎に個別の情報を取得してメモリに記録する記録手段と、
前記メモリに情報を記録されたチャンネルの数が所定数よりも不足した状態で、前記メモリに記録する情報を取得するチャンネルの選択を要求するための操作メニューを表示する表示手段と、
前記表示手段で表示された操作メニューの操作に基づいて選択されたチャンネルに対して、該チャンネルから取得される情報を記録するための領域を前記メモリに割り当てる情報割り当て手段とを具備したことを特徴とする放送受信装置。
【請求項３】
初期スキャンを要求する操作に基づいて複数のチャンネルを順次切り替えて受信することにより、放送を受信可能なチャンネルを検出する初期検出手段と、
この初期検出手段で検出されたチャンネルを、予め設定された数の選局ポジションに割り当てる初期割り当て手段と、
この初期割り当て手段に基づいて前記選局ポジションにチャンネルが割り当てられている状態で、再スキャンを要求する操作に基づいて複数のチャンネルを順次切り替えて受信することにより、放送を受信可能なチャンネルを検出する再検出手段と、
前記選局ポジションに対するチャンネルの割り当てを保持し、前記再検出手段で検出されたチャンネルを前記選局ポジションのうちチャンネルの割り当てられていない空きポジションに割り当てる保持割り当て手段と、
受信したチャンネルから放送受信装置毎に個別の情報を取得してメモリに記録する記録手段と、
前記メモリに情報を記録されたチャンネルの数が所定数よりも不足した状態で、前記メモリに記録する情報を取得するチャンネルの選択を要求するための操作メニューを表示する表示手段と、
前記表示手段で表示された操作メニューの操作に基づいて選択されたチャンネルに対して、該チャンネルから取得される情報を記録するための領域を前記メモリに割り当てる情報割り当て手段とを具備したことを特徴とする放送受信装置。
【請求項４】
初期スキャンを要求する操作に基づいて複数のチャンネルを順次切り替えて受信することにより、放送を受信可能なチャンネルを検出する初期検出手段と、
この初期検出手段で検出されたチャンネルを、予め設定された数の選局ポジションに割り当てる初期割り当て手段と、
この初期割り当て手段に基づいて前記選局ポジションにチャンネルが割り当てられている状態で、再スキャンを要求する操作に基づいて複数のチャンネルを順次切り替えて受信することにより、放送を受信可能なチャンネルを検出する再検出手段と、
前記選局ポジションに対するチャンネルの割り当てのリセットを要求する操作に基づいて、前記選局ポジションに対するチャンネルの割り当てをリセットし、前記再検出手段で検出されたチャンネルを前記選局ポジションに割り当てるリセット割り当て手段と、
前記選局ポジションに対するチャンネルの割り当ての保持を要求する操作に基づいて、前記選局ポジションに対するチャンネルの割り当てを保持し、前記再検出手段で検出されたチャンネルを前記選局ポジションのうちチャンネルの割り当てられていない空きポジションに割り当てる保持割り当て手段と、
受信したチャンネルから放送受信装置毎に個別の情報を取得してメモリに記録する記録手段と、
前記メモリに情報を記録されたチャンネルの数が所定数よりも不足した状態で、前記メモリに記録する情報を取得するチャンネルの選択を要求するための操作メニューを表示する表示手段と、
前記表示手段で表示された操作メニューの操作に基づいて選択されたチャンネルに対して、該チャンネルから取得される情報を記録するための領域を前記メモリに割り当てる情報割り当て手段とを具備したことを特徴とする放送受信装置。
【請求項５】
チャンネル割り当ての変更を要求する操作に基づいて、前記チャンネルの前記選局ポジションへの割り当てを変更するための操作メニューを表示する操作メニュー表示手段を具備したことを特徴とする請求項１乃至４いずれかに記載の放送受信装置。
【請求項６】
前記放送は地上デジタル放送であり、前記チャンネルの前記選局ポジションへの割り当ては、域内放送のチャンネルを域外放送のチャンネルに優先させて割り当てることを特徴とする請求項１乃至５いずれかに記載の放送受信装置。
【請求項７】
自動スキャンが要求されている状態で、スキャン動作を開始する特定のタイミングに達したとき、自動的に複数のチャンネルを順次切り替えて受信することにより、放送を受信可能なチャンネルを検出してチャンネルリストを作成する検出手段と、
この検出手段で検出されたチャンネルを予め設定された数の選局ポジションに割り当てる割り当て手段と、
前記検出手段で作成されたチャンネルリストに、前回作成されたチャンネルリストに対して変更があった場合に通知する変更通知手段と、
受信したチャンネルから放送受信装置毎に個別の情報を取得してメモリに記録する記録手段と、
前記メモリに情報を記録されたチャンネルの数が所定数よりも不足した場合に通知する不足通知手段と、
自動スキャンをするかしないかを選択するための操作メニューを表示する表示手段とを具備したことを特徴とする放送受信装置。
【請求項８】
チャンネル割り当ての変更を要求する操作に基づいて、前記チャンネルの前記選局ポジションへの割り当てを変更するための操作メニューを表示する操作メニュー表示手段を具備したことを特徴とする請求項７記載の放送受信装置。
【請求項９】
前記放送は地上デジタル放送であり、前記チャンネルの前記選局ポジションへの割り当ては、域内放送のチャンネルを域外放送のチャンネルに優先させて割り当てることを特徴とする請求項７または８記載の放送受信装置。
【請求項１０】
特定のチャンネルが所定数の選局ポジションに割り当てられている状態で、再スキャンを要求する操作に基づいて複数のチャンネルを順次切り替えて受信することにより、放送を受信可能なチャンネルを検出する工程と、
前記選局ポジションに対するチャンネルの割り当てのリセット、または、前記選局ポジションに対するチャンネルの割り当ての保持を選択するための操作メニューを表示する工程と、
前記選局ポジションに対するチャンネルの割り当てのリセットが選択された状態で、前記選局ポジションに対する前記特定のチャンネルの割り当てをリセットし、検出されたチャンネルを前記選局ポジションに割り当てる工程と、
前記選局ポジションに対するチャンネルの割り当ての保持が選択された状態で、前記選局ポジションに対する前記特定のチャンネルの割り当てを保持し、検出されたチャンネルを前記選局ポジションのうちチャンネルの割り当てられていない空きポジションに割り当てる工程と、
受信したチャンネルから放送受信装置毎に個別の情報を取得してメモリに記録する工程と、
前記メモリに情報を記録されたチャンネルの数が所定数よりも不足した状態で、前記メモリに記録する情報を取得するチャンネルの選択を要求するための操作メニューを表示する工程と、
表示された操作メニューの操作に基づいて選択されたチャンネルに対して、該チャンネルから取得される情報を記録するための領域を前記メモリに割り当てる工程とを具備したことを特徴とする放送受信方法。